(57)【要約】【課題】電子機器の配置レイアウトの変更を伴わずに電源ケーブルの配線レイアウトを変更することが可能な電源ユニットの実装構造及び電子機器を提供する。【解決手段】電子機器１０１の筐体１０２の正面と背面のうち所望する実装面に電源ユニット１０３を着脱自在に実装することができる電源ユニットの実装構造１００である。【選択図】図１
2016031976.tif 000002
【特許請求の範囲】
【請求項１】
電子機器の筐体の正面と背面のうち所望する実装面に電源ユニットを着脱自在に実装することができることを特徴とする電源ユニットの実装構造。
【請求項２】
前記電子機器は、前記筐体の正面に前記電源ユニットを装着する際に前記電源ユニットが接続される正面側接続部と、前記筐体の背面に前記電源ユニットを装着する際に前記電源ユニットが接続される背面側接続部と、を有している請求項１に記載の電源ユニットの実装構造。
【請求項３】
前記電子機器は、一面に前記正面側接続部が搭載されると共に他面に前記背面側接続部が搭載される基板を更に有している請求項２に記載の電源ユニットの実装構造。
【請求項４】
前記電源ユニットは、回転方向が変更可能であるファンを有している請求項１から３の何れか一項に記載の電源ユニットの実装構造。
【請求項５】
前記電源ユニットは、実装面の変更を検知したときに前記ファンの回転方向を変更する電子回路を有している請求項４に記載の電源ユニットの実装構造。
【請求項６】
前記電源ユニットは、前記ファンの回転方向を変更するスイッチを有している請求項４又は５に記載の電源ユニットの実装構造。
【請求項７】
前記基板は、前記電源ユニットの型を正面吸気型と背面吸気型の何れにすることが適切であるかを特定すると共にその特定の結果を表す制御信号を出力する制御回路を有しており、
前記電源ユニットは、前記電源ユニットを前記電子機器に実装したときに前記電源ユニットの実装面を検知すると共に前記制御回路からの制御信号を受信してその実装面の検知の結果と制御信号の内容とに基づいて前記ファンの回転方向を変更する回転方向変更回路を有している請求項１から６の何れか一項に記載の電源ユニットの実装構造。
【請求項８】
請求項１から７の何れか一項に記載の電源ユニットの実装構造が採用されたことを特徴とする電子機器。
【発明の詳細な説明】
【技術分野】
【０００１】
本発明は、サーバやイーサネットスイッチ等の電子機器における電源ユニットの実装構造及びその実装構造が採用された電子機器に関する。
【背景技術】
【０００２】
サーバやイーサネットスイッチ等の電子機器は、筐体に対して着脱自在に実装されると共に筐体の外部に露出される正面に電源ケーブルを接続するための電源ソケットを有する電源ユニットを有している。
【０００３】
企業規模で複数の電子機器を同時に使用する際には、暖気通路や冷気通路を共通としてエアフローの最適化を図るために、吸排気方向が一致するように電子機器の配置レイアウトを設計することが多い。
【０００４】
ところが、電源ケーブルの配線レイアウトの最適化を図る観点から、電源ユニットの正面が同一の通路に面するように電子機器の配置レイアウトを設計することができない場合もあるため、電源ユニットとしては、正面から吸気して背面に排気する正面吸気型と背面から吸気して正面に排気する背面吸気型の二種類が存在している。
【先行技術文献】
【特許文献】
【０００５】
【特許文献１】特開２００５−１８６６５号公報
【発明の概要】
【発明が解決しようとする課題】
【０００６】
しかしながら、何等かの事情により、電源ケーブルの配線レイアウトを変更する必要が生じ、その配線レイアウトの変更に伴って電源ユニットの正面が現在と異なる通路に面するように電子機器の配置レイアウトを変更しなければならない場合、吸排気方向を一定に維持するために、既存の電源ユニットを異なる型の電源ユニットに交換する必要があり、電源ユニットを追加購入するための費用が掛かってしまう。
【０００７】
そこで、本発明の目的は、電子機器の配置レイアウトの変更を伴わずに電源ケーブルの配線レイアウトを変更することが可能な電源ユニットの実装構造及び電子機器を提供することにある。
【課題を解決するための手段】
【０００８】
この目的を達成するために創案された本発明は、電子機器の筐体の正面と背面のうち所望する実装面に電源ユニットを着脱自在に実装することができる電源ユニットの実装構造である。
【０００９】
前記電子機器は、前記筐体の正面に前記電源ユニットを装着する際に前記電源ユニットが接続される正面側接続部と、前記筐体の背面に前記電源ユニットを装着する際に前記電源ユニットが接続される背面側接続部と、を有していると良い。
【００１０】
前記電子機器は、一面に前記正面側接続部が搭載されると共に他面に前記背面側接続部が搭載される基板を更に有していると良い。
【００１１】
前記電源ユニットは、回転方向が変更可能であるファンを有していると良い。
【００１２】
前記電源ユニットは、実装面の変更を検知したときに前記ファンの回転方向を変更する電子回路を有していると良い。
【００１３】
前記電源ユニットは、前記ファンの回転方向を変更するスイッチを有していると良い。
【００１４】
前記基板は、前記電源ユニットの型を正面吸気型と背面吸気型の何れにすることが適切であるかを特定すると共にその特定の結果を表す制御信号を出力する制御回路を有しており、前記電源ユニットは、前記電源ユニットを前記電子機器に実装したときに前記電源ユニットの実装面を検知すると共に前記制御回路からの制御信号を受信してその実装面の検知の結果と制御信号の内容とに基づいて前記ファンの回転方向を変更する回転方向変更回路を有していると良い。
【００１５】
また、本発明は、前記電源ユニットの実装構造が採用された電子機器である。
【発明の効果】
【００１６】
本発明によれば、電子機器の配置レイアウトの変更を伴わずに電源ケーブルの配線レイアウトを変更することが可能な電源ユニットの実装構造及び電子機器を提供することができる。
【図面の簡単な説明】
【００１７】
【図１】本発明の実施の形態に係る電源ユニットの実装構造が採用された電子機器を示す概略平面図であり、筐体の正面に電源ユニットが装着された状態を示す図である。
【図２】本発明の実施の形態に係る電源ユニットの実装構造が採用された電子機器を示す概略平面図であり、筐体の背面に電源ユニットが装着された状態を示す図である。
【図３】本発明の他の実施の形態に係る電源ユニットの実装構造が採用された電子機器を示す概略平面図であり、筐体の正面に電源ユニットが装着された状態を示す図である。
【図４】本発明の他の実施の形態に係る電源ユニットの実装構造が採用された電子機器を示す概略平面図であり、筐体の背面に電源ユニットが装着された状態を示す図である。
【図５】本発明の他の実施の形態に係る電源ユニットの実装構造が採用された電子機器を示す概略平面図であり、筐体の正面に電源ユニットが装着された状態を示す図である。
【図６】本発明の他の実施の形態に係る電源ユニットの実装構造が採用された電子機器を示す概略平面図であり、筐体の背面に電源ユニットが装着された状態を示す図である。
【発明を実施するための形態】
【００１８】
以下、本発明の好適な実施の形態を添付図面にしたがって説明する。
【００１９】
図１及び図２に示すように、本発明の好適な実施の形態に係る電源ユニットの実装構造１００は、電子機器１０１の筐体１０２の正面と背面のうち所望する実装面に電源ユニット１０３を着脱自在に実装することができることを特徴とする。
【００２０】
ここでは、理解を容易にするために、筐体１０２の正面を筐体正面と呼称すると共に筐体１０２の背面を筐体背面と呼称し、また電源ユニット１０３の正面をユニット正面と呼称すると共に電源ユニット１０３の背面をユニット背面と呼称する。
【００２１】
電子機器１０１は、本発明の好適な実施の形態に係る電源ユニットの実装構造１００が採用されたものであり、筐体正面に電源ユニット１０３を装着する際に電源ユニット１０３が接続される正面側接続部１０４と、筐体背面に電源ユニット１０３を装着する際に電源ユニット１０３が接続される背面側接続部１０５と、を有している。
【００２２】
正面側接続部１０４と背面側接続部１０５は、電源を供給するための電源ピンの集合体からなる電源ピンブロックや信号を伝送するための信号ピンの集合体からなる信号ピンブロックを有するコネクタ等からなり、電源ユニット１０３に搭載されたコネクタ等に何ら部材を介すること無く直接的又はハーネスやバスバ等の部材を介して間接的に接続される。
【００２３】
正面側接続部１０４と背面側接続部１０５における電源ピンブロックと信号ピンブロックは、筐体正面と筐体背面で対称構造となっており、筐体正面と筐体背面のうち所望する実装面に同一の電源ユニット１０３を共通して実装することができるようになっている。
【００２４】
なお、電源ピンや信号ピンの本数を正面側接続部１０４と背面側接続部１０５で異ならせて、電源ユニット１０３が正面側接続部１０４と背面側接続部１０５のどちらに接続されているかを電気的に検出するようにしても構わない。
【００２５】
この場合、信号ピンや電源ピンの配置としては、例えば、プラスピンとマイナスピンとを交互に配置すると共に正面側接続部１０４又は背面側接続部１０５との接続を検出するためのマイナスピンを通常よりも１本だけ増やして配置することが考えられるが、これらの配置は特に限定されるものでは無い。
【００２６】
また、電子機器１０１は、一面に正面側接続部１０４が搭載されると共に他面に背面側接続部１０５が搭載される基板１０６を更に有している。基板１０６は、バックプレーンやミドルプレーンからなり、ラインカードを挿入するためのソケットや信号処理を行うための集積回路等も搭載している。
【００２７】
図１及び図２では、基板１０６として筐体１０２の中央に配置されるミドルプレーンを採用しており、電子機器１０１の内部構造が筐体正面と筐体背面で対称構造となっているため、電源ユニット１０３を正面側接続部１０４又は背面側接続部１０５に何ら部材を介すること無く直接的に接続している。
【００２８】
しかしながら、図３及び図４に示すように、基板１０６として筐体１０２の中央からズレた位置に配置されるミドルプレーンを採用しており、電子機器１０１の内部構造が筐体正面と筐体背面で非対称となっている場合、正面側接続部１０４や背面側接続部１０５が基板１０６から突出する高さＨf，Ｈbを異ならせて、筐体正面から正面側接続部１０４までの距離Ｌfと筐体背面から背面側接続部１０５までの距離Ｌbを同一とすることにより、筐体正面と筐体背面のうち所望する実装面に同一の電源ユニット１０３を共通して実装することが可能となる。
【００２９】
なお、正面側接続部１０４や背面側接続部１０５が基板１０６から突出する高さＨf，Ｈbを異ならせる他にも、ハーネスやバスバ等を使用して筐体正面から正面側接続部１０４までの距離Ｌfと筐体背面から背面側接続部１０５までの距離Ｌbとの差を解消するようにしても構わない。
【００３０】
電源ユニット１０３は、筐体１０２の外部に露出されるユニット正面に設けられると共に電源ケーブル１０７を接続するための電源ソケット１０８と、回転方向が変更可能であるファン１０９と、実装面の変更を検知したときにファン１０９の回転方向を変更する電子回路１１０と、ファン１０９の回転方向を変更するスイッチ１１１と、を有しており、ファン１０９の回転方向を変更することにより、その型を正面吸気型と背面吸気型の何れかに切り替えることができる。
【００３１】
なお、電源ユニット１０３は、筐体正面に実装される際にはユニット正面が筐体正面に露出するように実装され、筐体背面に実装される際にはユニット正面が筐体背面に露出するように実装される。電源ユニット１０３を筐体正面に実装することにより、筐体正面から電源ケーブル１０７を引き出すことができるようになり（図１及び図３を参照）、電源ユニット１０３を筐体背面に実装することにより、筐体背面から電源ケーブル１０７を引き出すことができるようになる（図２及び図４を参照）。
【００３２】
電子回路１１０は、例えば、前述した通り、正面側接続部１０４又は背面側接続部１０５との接続を検出するためのマイナスピンの接続の有無を検出して実装面の変更を検知し、ファン１０９のモータに流れる電流を逆向きにしてファン１０９の回転方向を変更する。
【００３３】
これにより、何等かの事情により、電源ケーブル１０７の配線レイアウトを変更する必要が生じ、その配線レイアウトの変更に伴ってユニット正面が現在と異なる通路に面するように電子機器の配置レイアウトを変更しなければならない場合に、電源ケーブル１０７の配線レイアウトを変更しても、その変更の前後で吸排気方向が変更されることは無いため、電子機器１０１の配置レイアウトの変更を伴わずに電源ケーブル１０７の配線レイアウトを変更することが可能となる。
【００３４】
スイッチ１１１は、ＯＮ／ＯＦＦを切り替えることにより、ファン１０９の回転方向を変更して電源ユニット１０３の型を正面吸気型と背面吸気型の何れかに切り替える。
【００３５】
これにより、何等かの事情により、暖気通路と冷気通路を入れ替える必要が生じ、その入れ替えに伴って吸排気方向を変更しなければならない場合に、吸排気方向を変更しても、その変更の前後で電源ケーブル１０７の配線レイアウトが変更されること無いため、電子機器１０１の配置レイアウトの変更を伴わずに吸排気方向を変更することが可能となる。
【００３６】
ここでは、ファン１０９の回転方向を変更する手段として、電子回路１１０やスイッチ１１１を採用しているが、他にも、例えば、他の電子機器１０１の配置レイアウト等に基づいて電源ユニット１０３の型を正面吸気型と背面吸気型の何れにすることが適切であるかを特定すると共にその特定の結果を表す制御信号を信号ピン等を介して出力する制御回路を基板１０６に搭載し、更に電源ユニット１０３を電子機器１０１に実装したときに電源ユニット１０３の実装面を検知すると共に制御回路からの制御信号を受信してその実装面の検知の結果と制御信号の内容とに基づいてファン１０９の回転方向を変更する回転方向変更回路を電源ユニット１０３に搭載することにより、ファン１０９の回転方向を変更しても構わない。
【００３７】
なお、本実施の形態では、正面側接続部１０４と背面側接続部１０５とが搭載されているミドルプレーンからなる基板１０６を使用しているが、ミドルプレーンからなる基板１０６に代えてバックプレーンからなる基板１０６を使用しても構わない。
【００３８】
この場合、ハーネスやバスバ等を使用して正面側接続部１０４と背面側接続部１０５を延長して筐体正面から正面側接続部１０４までの距離Ｌfと筐体背面から背面側接続部１０５までの距離Ｌbを同一とすれば良い。
【００３９】
また、図５及び図６に示すように、電源ユニット１０３が大型である場合には、本実施の形態のように筐体１０２の全体を分断するミドルプレーンからなる基板１０６を使用せず、筐体１０２の一部のみを分断するミドルプレーンからなる基板１０６を使用し、連通空間１１２を利用して電源ユニット１０３の形状を最適化すると良い。
【００４０】
例えば、電源ユニット１０３の中腹に段差部１１３を形成し、その段差部１１３に正面側接続部１０４又は背面側接続部１０５が接続されるような形状とし、電源ユニット１０３を正面側接続部１０４又は背面側接続部１０５に接続する際にはその上下を反転して接続すると良い。これにより、電源ユニット１０３に広い内部空間を確保することができ、必要な機能性部品を内蔵することが可能となる。
【符号の説明】
【００４１】
１００  電子機器の実装構造
１０１  電子機器
１０２  筐体
１０３  電源ユニット
１０４  正面側接続部
１０５  背面側接続部
１０６  基板
１０７  電源ケーブル
１０８  電源ソケット
１０９  ファン
１１０  電子回路
１１１  スイッチ
１１２  連通空間
１１３  段差部
【図１】
2016031976.tif 000003
【図２】
2016031976.tif 000004
【図３】
2016031976.tif 000005
【図４】
2016031976.tif 000006
【図５】
2016031976.tif 000007
【図６】
2016031976.tif 000008